(57)【要約】【課題】エレベータのかごに設けられたかご接続機器の経年変化による劣化状態を予測し、劣化予測情報の表示を可能にする。【解決手段】エレベータのかご７に設けられたかご接続機器２１，２２，２５の電気状態に関する値を計測する電力測定装置１４と、かご接続機器２１，２２，２５の出荷時の電気状態に関する値を初期パラメータとして記憶し、電力測定装置１４で計測されたかご接続機器２１，２２，２５の前記計測値と初期パラメータとを用いて回帰分析を行うことにより、かご接続機器２１，２２，２５の電気状態の経年変化による劣化予測情報を算出して、かご７に設けられたかごインジケータ２４に当該劣化予測情報を表示させるエレベータ制御盤１２とを備えている。【選択図】図３
2015124038.tif 000002
【特許請求の範囲】
【請求項１】
エレベータのかごに設けられたかご接続機器の電気状態に関する値を計測し計測値として出力する電力測定部と、
前記かご接続機器の出荷時の電気状態に関する値を初期パラメータとして記憶する記憶部と、
前記電力測定部で計測された前記かご接続機器の前記計測値と前記記憶部に記憶された前記初期パラメータとを用いて回帰分析を行うことにより、前記かご接続機器の経年変化による劣化予測情報を算出して、前記かごに設けられたかごインジケータに当該劣化予測情報を表示させる分析部と
を備えたエレベータの表示装置。
【請求項２】
前記劣化予測情報は、前記かご接続機器の交換時期の目安情報であり、
前記分析部は、前記初期パラメータと前記計測値との差の絶対値が予め設定された閾値を超える時期を前記回帰分析により推定し、当該推定された時期を前記かご接続機器の交換時期の目安情報として出力する
請求項１に記載のエレベータの表示装置。
【請求項３】
前記劣化予測情報は、前記かご接続機器の交換時期の目安情報であり、
前記分析部は、前記初期パラメータと前記計測値との比の値が予め設定された閾値を超える時期を前記回帰分析により推定し、当該推定された時期を前記かご接続機器の交換時期の目安情報として出力する
請求項１に記載のエレベータの表示装置。
【請求項４】
前記かごに設けられたかご操作盤からの釦操作情報と前記エレベータの運転状態とに基づいて、前記かごインジケータによる前記劣化予測情報の表示／非表示を切り替える表示切替部を
さらに備えた請求項１から３までのいずれか１項に記載のエレベータの表示装置。
【請求項５】
前記エレベータは、通常時の通常運転モードと、エレベータの運転を休止させる休止運転モードと、保守作業を行うときの独立運転モードとの３つの運転モードを有しており、
前記表示切替部は、予め設定された特定の釦操作が行われたことを示す釦操作情報を前記かご操作盤から受け取り、かつ、前記エレベータの運転モードが休止運転モードまたは独立運転モードのいずれか一方に設定されている場合に、前記かごインジケータによる前記劣化予測情報の表示を許可し、それ以外の場合は、前記かごインジケータによる前記劣化予測情報の表示を禁止する
請求項１から４までのいずれか１項に記載のエレベータの表示装置。
【発明の詳細な説明】
【技術分野】
【０００１】
この発明はエレベータの表示装置に関し、エレベータかごに設けられているかご接続機器の劣化予測情報の表示を行うためのエレベータの表示装置に関する。
【背景技術】
【０００２】
従来のエレベータシステムにおいては、一般的に、エレベータかご（以下、単にかごとする。）に照明機器や空調機器といった接続機器が具備されている。これらの接続機器にはエレベータ制御盤から制御ケーブルを通じて電力および通信信号が供給される。
【０００３】
また、特許文献１に記載の電力消費量警報装置は、ビル、工場、住宅などにおけるユーザ利用の電気機器にブレーカを通して電力を供給する屋内の配電系統において、当該ブレーカの通過電流を測定する手段を備え、その測定結果に基づいて消費電力量を算出して表示するとともに、この消費電力量とブレーカの電力容量との偏差に基づいて警報を行うか否かを判定している。なお、特許文献１においては、ユーザ利用の電気機器の消費電力量について記載されており、ビル、工場、住宅などの建築物やエレベータに取り付けられている照明機器や空調機器などの接続機器の消費電力量については意図していない。
【先行技術文献】
【特許文献】
【０００４】
【特許文献１】特開平８−５１７２１号公報
【発明の概要】
【発明が解決しようとする課題】
【０００５】
上記の特許文献１においては、ユーザ利用の電気機器の現在の消費電力量を把握することはできるが、経年変化による電気機器の状態変化を解析するというような発想は全くなく、ユーザは電気機器の経年変化による劣化を把握することはできないという問題点があった。
【０００６】
この発明は、かかる問題点を解決するためになされたものであり、エレベータのかごに設けられたかご接続機器の経年変化による劣化状態を予測し、劣化予測情報の表示を可能にするエレベータの表示装置を得ることを目的としている。
【課題を解決するための手段】
【０００７】
この発明は、エレベータのかごに設けられたかご接続機器の電気状態に関する値を計測し計測値として出力する電力測定部と、前記かご接続機器の出荷時の電気状態に関する値を初期パラメータとして記憶する記憶部と、前記電力測定部で計測された前記かご接続機器の前記計測値と前記記憶部に記憶された前記初期パラメータとを用いて回帰分析を行うことにより、前記かご接続機器の経年変化による劣化予測情報を算出して、前記かごに設けられたかごインジケータに当該劣化予測情報を表示させる分析部とを備えたエレベータの表示装置である。
【発明の効果】
【０００８】
この発明は、エレベータのかごに設けられたかご接続機器の電気状態に関する値の計測値と出荷時の値（初期パラメータ）とを用いて、回帰分析を行うことにより、かご接続機器の経年変化による劣化予測情報を算出するようにしたので、経年変化によるかご接続機器の状態変化を把握することができ、交換時期の目安とすることができる。
【図面の簡単な説明】
【０００９】
【図１】この発明の実施の形態１に係るエレベータの表示装置が設けられたエレベータシステム全体を示した構成図である。
【図２】この発明の実施の形態１に係るエレベータの表示装置が設けられたエレベータシステムにおけるかご内部の様子を示した図である。
【図３】この発明の実施の形態１に係るエレベータの表示装置の構成を示した構成図である。
【図４】この発明の実施の形態１に係るエレベータの表示装置の動作を示したフローチャートである。
【発明を実施するための形態】
【００１０】
実施の形態１．
以下、この発明の実施の形態１に係るエレベータの表示装置を図１〜図４を用いて説明する。本実施の形態１においては、エレベータのかごに設けられている各かご接続機器の電気状態に関する値を電力測定装置で計測し、エレベータ制御盤が当該計測値に基づいて劣化予測情報を算出して、かごインジケータに当該劣化予測情報を表示するためのエレベータの表示装置について説明する。また、本実施の形態１においては、かご操作盤に対して特定釦操作が行われた場合に、エレベータ制御盤が上記劣化予測情報の表示を許可する構成として、特定釦操作の操作方法を知っている作業員にのみ当該表示を行うようにした。以下、詳細に説明する。
【００１１】
図１は、この発明の実施の形態１に係るエレベータの表示装置が設けられたエレベータシステム全体を示した構成図である。
【００１２】
図１に示すように、昇降路１の最上端には、機械室２が設けられている。機械室２には、巻上機（駆動装置）３が設けられている。巻上機３は、駆動シーブ４と、駆動シーブ４を回転させる巻上機モータ（図示省略）と、駆動シーブ４の回転を制動する巻上機ブレーキ（電磁ブレーキ）とを有している。なお、図１においては、機械室２が設けられているタイプのエレベータシステムを一例として記載しているが、その場合に限らず、機械室のないタイプのエレベータシステムにも本実施の形態は適用できる。
【００１３】
また、駆動シーブ４に離間してそらせ車５が設けられている。駆動シーブ４及びそらせ車５には、懸架ロープ６が巻き掛けられている。懸架ロープ６は、複数本のロープまたは複数本のベルトから構成されている。懸架ロープ６の第一端部には、かご７が接続されている。懸架ロープ６の第二端部には、釣合おもり８が接続されている。
【００１４】
かご７及び釣合おもり８は、懸架ロープ６により昇降路１内に吊り下げられており、巻上機３により昇降路１内を昇降される。
【００１５】
かご７には、かご出入口を開閉するかごドア装置９が設けられている。複数の停止階の乗場には、それぞれ、乗場ドア装置１０が設けられている。乗場ドア装置１０は、かご７の着床時にかごドア装置９と係合することにより、かごドア装置９に連動して開閉動作される。
【００１６】
このように、エレベータ装置１１は、かご７、かごドア装置９、乗場ドア装置１０、巻上機３、懸架ロープ６、及び、釣合おもり８等から構成されている。
【００１７】
また、機械室２には、エレベータ装置１１の動作を制御するエレベータ制御盤１２が設置されている。
【００１８】
また、かご７の上部には、かご上ステーション１３と電力測定装置１４とが設けられている。かご上ステーション１３は、制御ケーブル１５を介して、エレベータ制御盤１２に接続されている。また、かご上ステーション１３と電力測定装置１４とは通信線１６を介して接続されている。
【００１９】
図２は、かご７の内部の様子を示した図である。図２に示すように、かご７の天井２０には、照明機器２１および空調機器（ファン）２２が設けられている。図２に示す照明機器２１および空調機器２２はあくまでも単なる一例であり、これらに限定されるものではない。従って、照明機器２１および空調機器２２として任意の種類のものを用いることができる。
【００２０】
また、かご７のかごドア装置９が設けられている内壁面（袖壁）には、かご操作盤２３およびかごインジケータ２４（表示装置）が設けられている。なお、かご操作盤２３およびかごインジケータ２４の取付位置は、かごドア装置９が設けられている内壁面（袖壁）に限定されるものではなく、かご７の内壁面であれば、例えば、側面壁など、いずれの位置でもよい。
【００２１】
かご操作盤２３には、乗客が行先階を指定するための各階床に対応して設けられた複数のかご呼び釦２３ａ（階釦）と、戸開釦２３ｂと、戸閉釦２３ｃと、作業員が特定釦操作を行う場合に押下される表示釦（ダミー釦）２３ｄとが設けられている。
【００２２】
かごインジケータ２４は、通常時は、エレベータの走行方向（矢印表示）、現在のかご位置を示す階床情報、あるいは、現在のかご内の撮像画像などの表示を行うための表示器である。かごインジケータ２４は、例えば、液晶インジケータ、または、セグメントＬＥＤインジケータ等から構成される。また、かごインジケータ２４は、かご操作盤２３に対して特定釦操作が行われた場合に、エレベータ制御盤１２から、かご接続機器２１，２２，２５の劣化予測情報の表示を行うように指令され、当該指令により、劣化予測情報の表示を行う。また、劣化予測情報とともに、かご接続機器２１，２２，２５の現在の消費電力量、および、残り使用可能電力量の表示を行うようにしてもよい。
【００２３】
さらに、かご７のかごドア装置９が設けられている内壁面（袖壁）には、コンセント２５が設けられている。コンセント２５は、作業員が例えば据付時や保守時にパーソナルコンピュータや掃除機等の電気機器を接続して電力を得るために設けられている。
【００２４】
以下では、照明機器２１、空調機器２２、および、コンセント２５を、纏めて、かご接続機器と呼ぶこととする。なお、かご接続機器は、これら３種類に限定されるものではなく、これらの３種類のうちの一部のみを設けてもよいし、あるいは、他の種類のものを設けるようにしてもよい。
【００２５】
図３は、本実施の形態１に係るエレベータの表示装置の構成を示したものである。上述のように、かご７には、照明機器２１、空調機器２２およびコンセント２５等のかご接続機器が設けられている。これらの接続機器２１，２２，２５は、接続ケーブル３３を介して、かご上ステーション１３に接続されている。かご上ステーション１３は、かごインジケータ２４およびかご操作盤２３に接続されている。また、かご上ステーション１３は、制御ケーブル１５を介して、エレベータ制御盤１２と接続されている。制御ケーブル１５には電力線ならびに通信線が通っている。エレベータ制御盤１２は、内部に設けられたブレーカを介在させて、客先電源（外部電源）に接続されている。また、エレベータ制御盤１２の内部には、制御基板３５が設けられている。エレベータ制御盤１２は、制御ケーブル１５を介して、かご上ステーション１３に対して、電力および通信信号を供給する。かご上ステーション１３は、接続ケーブル３３を介して、各かご接続機器２１，２２，２５に電力および通信信号を供給する。かご上ステーション１３の内部には、制御基板３４が設けられている。
【００２６】
また、かご上ステーション１３には、通信線１６を介して、電力測定装置１４が接続されている。電力測定装置１４は、かご接続機器２１，２２，２５の電気状態に関する値を計測し計測値として出力する。電気状態に関する値としては、かご接続機器２１，２２，２５の電流値、電圧値、抵抗値、温度のうちの少なくとも１つが含まれる。以下では、これらの４つの値を計測する例について説明する。電力測定装置１４は、計測部３０、演算部３１、および、制御部３２から構成されている。計測部３０は、各かご接続機器２１，２２，２５に対して、１つずつ設けられている。各計測部３０は、対応するかご接続機器の電流を計測する電流計測部、同じく電圧を計測する電圧計測部、同じく抵抗値を計測する抵抗値計測部、および、同じく内部温度または外部温度を計測する温度計測部とから構成されている。演算部３１は、各計測部３０に、１対１で接続されている。従って、演算部３１と計測部３０とは同数であり、それぞれ、接続機器の個数と同じ個数だけ設けられている。各演算部３１は、対応する計測部３０の電流計測部、電圧計測部、抵抗値計測部、および、温度計測部がそれぞれ計測した、電流値、電圧値、抵抗値、および、温度が入力され、それらの値をデジタル値に変換する（アナログ／デジタル変換）。制御部３２は単数設けられており、制御部３２には、各演算部３１が並列に接続されている。制御部３２は、各演算部３１で得られたデジタル値を通信線１６を介してかご上ステーション１３に対して出力する制御を行う。
【００２７】
エレベータ制御盤１２は、かご上ステーション１３を介して電力測定装置１４からかご接続機器２１，２２，２５の計測値を取得し、当該計測値に基づいて、統計データ（例えば、計測値の履歴データ、計測値の平均値、分散値、変動率など）を算出する。さらに、エレベータ制御盤１２は、当該計測値を用いて回帰分析を行って、かご接続機器２１，２２，２５の経年変化による劣化予測情報（例えば、交換時期の目安情報や、不具合情報など）を取得する。また、エレベータ制御盤１２は、取得した計測値とブレーカの定格値とに基づいて、かご接続機器２１，２２，２５の現在の使用電力量と外部電源から供給可能な電力量との差を求め、コンセント２５から取得できる残り使用可能電力量を算出する。また、エレベータ制御盤１２は、かご操作盤２３に対して特定釦操作が行われたことを検知した場合にのみ、かご接続機器２１，２２，２５の現在の使用電力量、残り使用可能電力量、あるいは、劣化予測情報等のかご接続機器２１，２２，２５の状態に関する情報の表示を許可し、それ以外の場合には、かご接続機器２１，２２，２５の状態に関する情報の表示を禁止する。以下、エレベータ制御盤１２について詳細に説明する。
【００２８】
エレベータ制御盤１２は、内部にタイマー（図示省略）を有している。タイマーは、予め設定された一定周期で、エレベータ制御盤１２に対して、信号を発生させる。以下では、この信号の発生を、タイマー割り込みと呼ぶこととする。タイマー割り込みが発生するこの一定周期は、エレベータ制御盤１２がかご接続機器２１，２２，２５の経年変化を示す回帰分析を実施するタイミングを表わす。当該一定周期は、例えば、１ケ月、半年、１年のように、任意の周期に予め設定しておく。また、エレベータ制御盤１２は、カウンタ（図示省略）を有し、タイマーが一定周期で信号を発生させてエレベータ制御盤１２が回帰分析を行う毎に、カウンタ値をインクリメントする。従って、当該カウンタ値は、エレベータ据付時からの経過時間に関する情報を示す。すなわち、カウンタ値と一定周期とを乗算させると、エレベータ据付時からの経過時間を算出することができる。エレベータ制御盤１２は、タイマー割り込みが発生した場合、かご上ステーション１３に指令を出す。かご上ステーション１３は、当該指令に応じて、電力測定装置１４から各かご接続機器２１，２２，２５の電流値、電圧値、抵抗値、および、温度の計測値を取得し、エレベータ制御盤１２に伝送する。
【００２９】
エレベータ制御盤１２は、取得した計測値とブレーカの定格値に基づいて、かご接続機器２１，２２の現在の使用電力量と客先電源から供給可能な電力量との差を求め、コンセント２５から取得可能な残り使用可能電力量を算出する。当該残り使用可能電力量は、かごインジケータ２４に表示される。当該表示により、ユーザ（主に作業員）は、コンセント２５に接続して使用したい電気製品のワット数が当該残り使用可能電力量未満のときに当該電気製品が使用でき、使用したい電気製品のワット数が当該残り使用可能電力量以上であれば、使用できないと判断することにより、当該電気製品の使用の可否を判定することができる。なお、本実施の形態では、残り使用可能電力量を算出および表示すると説明したが、その場合に限らず、残り使用可能電力量は必ずしも算出および表示する必要はない。
【００３０】
エレベータ制御盤１２は、内部に記憶装置（図示せず）を有し、初期パラメータを記憶している。初期パラメータとは、かご接続機器２１，２２，２５の出荷時の電流値、電圧値、抵抗値および温度の値（初期値）である。また、かご接続機器２１，２２，２５を交換した場合には、新品のかご接続機器２１，２２，２５を取り付けたときの電流値、電圧値、抵抗値および温度の値（初期値）とする。エレベータ制御盤１２は、当該初期パラメータと電力測定装置１４から取得した上記計測値とを用いて、回帰分析を行う。当該回帰分析の結果は、記憶装置に記憶される。なお、回帰分析とは、何らかの変量（値が変動するもの）があるとき、その変量の変動の原因を統計的に究明し、それらの関係を表わす“回帰モデル”と呼ばれる数式（回帰関数）を求めることである。すなわち、回帰分析は、原因となる変量が変動することから、結果としての変量も変動するという考えに基づいた分析である。このように、原因となる変量と結果となる変量の関連性を統計的手法を用いて調べる方法が回帰分析である。回帰分析においては、原因となる変量を説明変数と呼び、結果となる変量を被説明変数と呼ぶ。説明変数が１つの場合を単回帰分析、２つ以上の場合を重回帰分析と言う。回帰関数は、ｋ個の説明変数をｘ１，ｘ２，・・・，ｘｋとし、推定したい被説明変数をｙとすると、ｙ＝ｆ（ｘ１，ｘ２，・・・，ｘｋ）＋ｕという形の数式で表わすことができる。ここで、ｕは、その影響が些細であると考えられたため無視された原因をまとめたものであり、錯乱項と呼ばれる。
【００３１】
エレベータ制御盤１２が行う回帰分析の例としては、各かご接続機器２１，２２，２５の使用開始時（またはエレベータ出荷時）からの経過時間（必要に応じて温度も）を説明変数（入力変数）とし、各かご接続機器２１，２２，２５の電流値、電圧値、抵抗値を被説明変数（出力変数）とする回帰分析で、各かご接続機器２１，２２，２５の経年変化による劣化予測情報（交換時期の目安情報や、不具合情報など）を取得するものである。
【００３２】
劣化予測情報を交換時期の目安情報とする場合は、各かご接続機器２１，２２，２５の使用開始時からの経過時間を説明変数とし、各かご接続機器２１，２２，２５の初期パラメータ（電流値、電圧値、抵抗値）と、電流値、電圧値、抵抗値の計測値との乖離度を被説明変数として、回帰モデル（回帰関数）を求める。具体的には、各かご接続機器２１，２２，２５の電流値、電圧値、抵抗値の計測値の履歴をとって、各かご接続機器２１，２２，２５の初期パラメータとそれらの計測値との乖離度の変動を求め、回帰モデルを算出する。乖離度としては、電流値、電圧値、抵抗値の初期パラメータと計測値との差の絶対値（Ｄ１＝｜（電流値の計測値）−（初期パラメータの電流値）｜、Ｄ２＝｜（電圧値の計測値）−（初期パラメータの電圧値）｜、Ｄ３＝｜（抵抗値の計測値）−（初期パラメータの抵抗値）｜、Ｄ４＝｜（温度の計測値）−（初期パラメータの温度）｜）を用いてもよいし、電流値、電圧値、抵抗値の初期パラメータと計測値との比（Ｒ１＝（電流値の計測値）／（初期パラメータの電流値）、Ｒ２＝（電圧値の計測値）／（初期パラメータの電圧値）、Ｒ３＝（抵抗値の計測値）／（初期パラメータの抵抗値）、Ｒ４＝（温度の計測値）／（初期パラメータの温度））を用いてもよい。また、電流値、電圧値、抵抗値の当該乖離度に対して予め閾値をそれぞれ設けておき、少なくともいずれか１つの乖離度が閾値を超える時期を当該回帰モデルから推定し、推定した当該時期を各かご接続機器２１，２２，２５の交換時期の目安情報として出力する（Ｄ１＞閾値Ｔｈ１、Ｄ２＞閾値Ｔｈ２、Ｄ３＞閾値Ｔｈ３、Ｄ４＞閾値Ｔｈ４のうちの少なくとも１つが成立すると推定される予測時期、あるいは、Ｒ１＞閾値Ｔｈｕｐ１またはＲ１＜閾値Ｔｈｌｏｗ１、Ｒ２＞閾値Ｔｈｕｐ２またはＲ２＜閾値Ｔｈｌｏｗ２、Ｒ３＞閾値Ｔｈｕｐ３またはＲ３＜閾値Ｔｈｌｏｗ３、Ｒ４＞閾値Ｔｈｕｐ４またはＲ４＜閾値Ｔｈｌｏｗ４のうちの少なくとも１つが成立すると推定される予測時期）。特に、差の絶対値、および、比の値の変動が単純増加または単純減少に近似できれば、回帰関数は一次関数（比例式：ｙ＝ａｘ＋ｂ、ここで、ｙはＤ１〜Ｄ４またはＲ１〜Ｒ４、ｘはエレベータ取付時からの経過時間、ａは変動率、ｂは初期値）で示すことができ、差の絶対値、および、比の値が閾値を超える予測時期を容易に一意に決定することができる。なお、かごインジケータ２４に表示する交換時期の目安情報の例としては、「照明機器を２０１４年３月２０日頃までに交換して下さい」等のような文字によるメッセージ表示が挙げられる。
【００３３】
各かご接続機器２１，２２，２５の抵抗値または温度等が高くなっており、故障まではいかないまでも、不具合が発生している場合がある。このような場合には、劣化予測情報として、不具合情報を出力するようにしてもよい。劣化予測情報を不具合情報とする場合は、各かご接続機器２１，２２，２５の抵抗値または温度の計測値を説明変数とし、各かご接続機器２１，２２，２５の初期パラメータの抵抗値または温度と、抵抗値または温度の計測値との乖離度（初期パラメータと計測値との差）を被説明変数として、回帰モデル（回帰関数）を求める。この場合も、当該乖離度に対して予め閾値を設けておき、乖離度が閾値を超えたときに、各かご接続機器２１，２２，２５に不具合が発生していると予想して、精密検査／修理を促すための不具合情報を出力する。かごインジケータ２４に表示する不具合情報の例としては、「照明機器の抵抗値が高いです。照明機器を検査・修理して下さい」等のような文字によるメッセージ表示が挙げられる。
【００３４】
このように、エレベータ制御盤１２は、各かご接続機器２１，２２，２５の使用開始時からの経過時間や各かご接続機器２１，２２，２５の電流値および電圧値などの計測値の変動状態に基づいて回帰分析を行い、各かご接続機器２１，２２，２５の電気状態の経年変化による劣化予測情報を取得する。劣化予測情報として、交換時期の目安情報や、精密検査や修理を促す不具合情報を例として記載したが、その場合に限らず、経年変化による劣化予測情報であれば、他の情報であってもよい。
【００３５】
また、エレベータ制御盤１２は、エレベータの運転モードとして、通常時の通常運転モードと、エレベータの運転を休止させる休止運転モードと、保守作業を行うときの独立運転モードとの３つの運転モードを有している。なお、通常運転モードおよび休止運転モードに設定されている場合には、エレベータ制御盤１２の制御によってかご７の走行／停止が行われるが、独立運転モードに設定されている場合には、エレベータ制御盤１２による制御は行われず、作業員による手動操作によりかご７の走行／停止が行われる。エレベータ制御盤１２は、作業員の操作により、エレベータの運転モードを、これらの３つの運転モードのうちの１つに設定する。
【００３６】
エレベータ制御盤１２は、運転モードが休止運転モードまたは独立運転モードで、かつ、かご操作盤２３に対して特定釦操作が行われた場合にのみ、かごインジケータ２４に、かご接続機器２１，２２，２５の状態に関する情報の表示を許可し、当該表示を行うように指令する。エレベータ制御盤１２は、それ以外の場合には、かご接続機器２１，２２，２５の状態に関する情報の表示を禁止する。かご接続機器２１，２２，２５の状態に関する情報には、かご接続機器２１，２２，２５の計測値（電流値、電圧値、抵抗値、温度）、かご接続機器２１，２２，２５による現在の使用電力量、残り使用可能電力量、及び、回帰分析により算出した劣化予測情報のうちの少なくとも１つが含まれる。エレベータ制御盤１２は、当該特定釦操作の有無により、作業員と一般乗客との区別を行い、作業員に対してのみかご接続機器２１，２２，２５の状態に関する情報の表示を行う。特定釦操作としては、例えば、図２に示す表示釦（ダミー釦）２３ｄと戸開釦２３ｂを同時に押すなどの操作方法が例として挙げられる。特定釦操作の操作方法は予め設定されており、作業員のみに知らせておく。表示釦（ダミー釦）２３ｄを一般乗客が誤って押下しないように、表示釦（ダミー釦）２３ｄの背面には、特に何も記載しないようにしておき、何のための釦か分からないようにしておく。
【００３７】
図４は、本実施の形態に係るエレベータの表示装置の動作を示したフローチャートである。以下、図４を用いて、本実施の形態に係るエレベータの表示装置の動作について説明する。図４のフローチャートは、大きく分けて、３つのブロックから構成される。１つめは、ステップＳ１から構成される「初期設定」動作ブロックである。２つめは、ステップＳ２〜Ｓ９で構成される「回帰分析」動作ブロックである。３つめは、ステップＳ１０〜Ｓ１６で構成される「表示／非表示の切替」動作ブロックである。以下、ステップＳ１〜Ｓ１６について詳細に説明する。
【００３８】
まず、ステップＳ１にて、エレベータ制御盤１２の記憶装置（図示せず）に記憶されている、初期パラメータ、タイマー、および、カウンタ値をそれぞれ初期化する。
【００３９】
次に、ステップＳ２において、タイマー割り込みが発生したか否かを確認する。タイマー割り込みが発生した場合には、ステップＳ３に進む。一方、タイマー割り込みが発生していない場合には、後述するステップＳ１０，Ｓ１６を経て、ステップＳ２の処理に戻る。ステップＳ３では、エレベータ制御盤１２から、かご上ステーション１３に、かご接続機器２１，２２，２５の電流値、電圧値、抵抗値、温度の計測値をそれぞれ伝送するように指令を出す。次に、ステップＳ４で、かご上ステーション１３は、電力測定装置１４から、かご接続機器２１，２２，２５の電流値、電圧値、抵抗値、温度の計測値を取得し、エレベータ制御盤１２に伝送する。次に、ステップＳ５で、エレベータ制御盤１２は、カウンタのカウンタ値が０か否かを判定する。カウンタ値が０であればステップＳ６に進み、一方、カウンタ値が０以外（カウンタ値＞０）であれば、ステップＳ８に進む。ステップＳ６では、エレベータ制御盤１２は、初期パラメータと伝送されてきた計測値とから回帰分析を実施して回帰関数（回帰モデル）を算出し、当該回帰関数から、電流値、電圧値、抵抗値、温度の劣化予測情報または不具合情報を取得する。回帰分析後、ステップＳ７で、カウンタ値をインクリメントして、ステップＳ２の処理に戻る。一方、ステップＳ８では、ステップＳ６で求めた回帰関数と伝送されてきた計測値とから回帰分析を実施し、電流値、電圧値、抵抗値の劣化予測情報または不具合情報を再計算する。再計算により得られた回帰分析の結果は記憶装置に記憶される。次に、ステップＳ９で、カウンタ値をインクリメントして、ステップＳ２の処理に戻る。なお、本実施の形態では、劣化予測情報を求める手法の例として、回帰分析としたが、当該統計方法に限定されることはなく、他の分析方法を使用しても支障はない。
【００４０】
ステップＳ２でタイマー割り込みがない場合には、ステップＳ１０に進む。ステップＳ１０では、エレベータ制御盤１２が、エレベータの現在の運転モードが休止運転モードまたは独立運転モードに設定されているか否かを判定する。エレベータの現在の運転モードが休止運転モードまたは独立運転モードに設定されていればステップＳ１１に進み、そうでなければステップＳ１６に進む。ステップＳ１１では、かご操作盤２３に、特定釦操作が与えられたか否かを判定する。ステップＳ１１の判定で、特定釦操作があれば、エレベータ制御盤１２はかご上ステーション１３を表示を許可する電力表示モードに移行させ、ステップＳ１２に進む。一方、特定釦操作がなければステップＳ１６に進む。ステップＳ１２では、エレベータ制御盤１２から、かご上ステーション１３に、かご接続機器２１，２２，２５の電流値、電圧値、抵抗値、温度の計測値をそれぞれ伝送するように指令を出す。次に、ステップＳ１３で、かご上ステーション１３は、電力測定装置１４から、かご接続機器２１，２２，２５の電流値、電圧値、抵抗値、温度の計測値を取得し、エレベータ制御盤１２に伝送する。次に、ステップＳ１４で、エレベータ制御盤１２は、伝送されてきた電流値、電圧値、抵抗値、温度および回帰関数から劣化予測情報を算出し、かご上ステーション１３に伝送する。また、同時に、エレベータ制御盤１２は、伝送されてきた電流値、電圧値、抵抗値に基づいて、かご接続機器２１，２２，２５の現在の使用電力量を求め、当該使用電力とブレーカの定格電力とから、残り使用可能電力量を算出し、かご上ステーション１３に伝送する。ステップＳ１５で、かご上ステーション１３は、かごインジケータ２４に、当該統計値および当該残り使用可能電力を伝送して表示させる。なお、ステップＳ１６では、エレベータ制御盤１２は、かご上ステーション１３を電力表示モードから解除し、かごインジケータ２４の表示を元の通常時の表示に戻すよう指令する。
【００４１】
なお、上記の説明においては、ステップＳ１２〜Ｓ１４で、エレベータ制御盤１２が、計測値を取得して回帰分析を行っているが、ステップＳ１２〜Ｓ１４の処理を行わずに、ステップＳ６またはステップＳ８で得られた結果が記憶装置に記憶されているので、当該結果を記憶装置から取り出してかご上ステーション１３に伝送するようにしてもよい。
【００４２】
このように、本実施の形態は、エレベータのかごに設けられたかご接続機器の電気状態に関する値（電流値、電圧値、抵抗値、及び、温度のうちの少なくとも１つ）を計測する電力測定部（電力測定装置１４）と、かご接続機器２１，２２，２５の出荷時のそれらの電気状態に関する値を初期パラメータとして記憶する記憶部（エレベータ制御盤１２の記憶装置）と、電力測定部（電力測定装置１４）で計測されたかご接続機器２１，２２，２５の電流値、電圧値、抵抗値、及び、温度の計測値と記憶部（エレベータ制御盤１２の記憶装置）に記憶された初期パラメータとを用いて回帰分析を行うことにより、かご接続機器２１，２２，２５の経年変化による劣化予測情報を算出して、かごに設けられたかごインジケータ２４に当該劣化予測情報を表示させる分析部（エレベータ制御盤１２）とを備えたエレベータの表示装置である。当該構成により、エレベータ制御盤１２が、かご接続機器２１，２２，２５の出荷時の状態に関する初期パラメータ値とある時間における電力測定装置１４から得られる現在の使用電力状態を元に、かご接続機器２１，２２，２５の電流値、電圧値、抵抗値の回帰分析を実施することにより、電流値、電圧値、抵抗値の統計値を獲得し、かご接続機器２１，２２，２５の経年変化による機器交換の目安を表示することが可能となるとともに、かご接続機器の使用電力と屋内の配電から供給可能な電力からコンセント２５から取得可能な残り使用可能電力を可視化することが可能となった。
【００４３】
本実施の形態においては、劣化予測情報として、例えば、かご接続機器２１，２２，２５の交換時期の目安情報を表示するようにした。そのため、分析部（エレベータ制御盤１２）は、電流値、電圧値、抵抗値、及び、温度の少なくともいずれか１つに関する初期パラメータと計測値との差の絶対値（または、それらの比の値）が予め設定された閾値を超える時期を回帰分析（回帰関数）により予想し、当該予想された時期をかご接続機器２１，２２，２５の交換時期の目安情報として出力するようした。これにより、かご接続機器２１，２２，２５の経年変化による電気状態の変化を解析し、かご接続機器２１，２２，２５の交換時期の目安情報を表示することができるため、当該情報を交換時期の目安とすることができる。
【００４４】
また、前記特許文献１に記載の電力消費量警報装置は、ビル、工場、住宅などの建築物の消費電力と使用可能電力の表示について言及しており、当該装置をエレベータシステムに適用させることについては記載されていないが、当該装置をエレベータシステムに適用させた場合を想定すると、エレベータのかごに接続されるかご接続機器の消費電力と使用可能電力をユーザに対して表示することが可能となるが、特許文献１においては、表示／非表示の切り替えについては意図されていないため、表示部に常時表示することになり、一般利用者と作業員との区別ができず、開示すべきでないかご接続機器に関する情報を一般の利用客にも提供してしまうという問題点があったが、本実施の形態においては、かご操作盤２３からの釦操作情報とエレベータの運転状態とに応じて、表示／非表示を切り替えるようにしたので、一般客と作業員の区別が可能となり、開示すべきでないかご接続機器に関する情報を一般の利用客にも提供してしまうことを防止することができる。
【００４５】
なお、この発明は、上記した実施の形態１に限定されず、この発明の思想を逸脱しない範囲で適宜変形しても構わない。
【符号の説明】
【００４６】
１  昇降路、２  機械室、３  巻上機、４  駆動シーブ、５  そらせ車、６  懸架ロープ、７  かご、８  釣合おもり、９  かごドア装置、１０  乗場ドア装置、１１  エレベータ装置、１２  エレベータ制御盤、１３  かご上ステーション、１４  電力測定装置、１５  制御ケーブル、１６  信号線、２０  天井、２１  照明機器、２２  空調機器、２３  かご操作盤、２４  かごインジケータ、２５  コンセント。
【図１】
2015124038.tif 000003
【図２】
2015124038.tif 000004
【図３】
2015124038.tif 000005
【図４】
2015124038.tif 000006